(57)【要約】【課題】開閉体の開閉状態を容易に認識できるようにする。【解決手段】開閉状態案内灯を、位置検出手段からの位置情報に基づいて、すなわち、開閉体手段であるシャッターカーテンが開放動作中なのか、閉鎖動作中なのか、または、その閉鎖側先端部が下限付近に位置するのか、上限付近に位置するのかなどに応じて点灯／点滅の態様（明るさ、点滅速度、発光色など）を変化させる。また、エリアセンサが、所定領域に利用者が進入したことを感知した場合に、開閉体手段が全閉又は全開のいずれの状態にあるのかを容易に認識できるように、開閉状態案内灯手段の点灯・点滅の態様（明るさ、点滅速度、発光色など）を変化させる。【選択図】図１
2006104786.tif 000002
【特許請求の範囲】
【請求項１】
開口部に設けられた開閉体手段と、
前記開閉体手段の位置情報を検出する位置検出手段と、
前記位置検出手段によって検出された前記位置情報に応じた態様で点灯／点滅する開閉状態案内灯手段と
を備えたことを特徴とする開閉体装置。
【請求項２】
開口部に設けられた開閉体手段と、
前記開閉体手段の位置情報を検出する位置検出手段と、
前記開閉体手段の近傍の所定領域に利用者が位置することを感知する感知手段と、
前記位置検出手段によって検出された前記位置情報及び前記感知手段からの感知信号に応じた態様で点灯／点滅する開閉状態案内灯手段と
を備えたことを特徴とする開閉体装置。
【請求項３】
請求項１又は２に記載された開閉体装置において、前記開閉状態案内灯手段は、前記開閉体手段の閉鎖側先端部付近に設けられたことを特徴とする開閉体装置。
【請求項４】
請求項１又は２に記載された開閉体装置において、前記開閉状態案内灯手段は、前記開閉体手段の閉鎖側先端部付近を認識することができるように前記開閉体手段の移動方向に沿った前記開口部周辺に設けられたことを特徴とする開閉体装置。
【発明の詳細な説明】
【技術分野】
【０００１】
本発明は、ビル、工場、倉庫などの建物を含む構造物躯体の開口部に設置されるシャッターカーテンなどの開閉部材を開閉する開閉体装置に関する。
【背景技術】
【０００２】
ビル、工場、倉庫などの建物を含む構造物躯体の開口部に設置されシャッターカーテンやドアなどの開閉体装置には、その開閉動作を電動で行う電動シャッターや電動ドアなどが使用されることが多い。開閉動作を電動で行う電動シャッターには、開閉動作状態にあることを周囲の人に知らせて警告を促すための動作警告灯を配設したものがある。この動作警告灯として、開閉体の可動先端部にＬＥＤやランプなどの発光素子を設けたものが特許文献１に記載されている。
【特許文献１】特開平９−１３７６６９号公報
【発明の開示】
【発明が解決しようとする課題】
【０００３】
従来のように動作警告灯を開閉体の可動先端部に備えたものは、開閉体の可動時に動作警告灯を矢印を表示しながら点滅駆動させることによって、開閉体の可動部が開閉いずれの方向に動作中であるかを認識可能にしている。しかしながら、従来のものは、開閉体の可動方向は認識できても、開閉体の現在の開閉状態がどのようになっているのか、すなわち開閉体がどの程度開放した状態にあって、通過することが可能なのかどうか、又は、どの程度閉鎖した状態にあって通過不可能なのかどうかを即座に認識することは困難であった。
【０００４】
本発明は、上述の点に鑑みてなされたものであり、開閉体の開閉状態を容易に認識することのできる開閉体装置を提供することにある。
【課題を解決するための手段】
【０００５】
本発明の開閉体装置の第１の特徴は、開口部に設けられた開閉体手段と、前記開閉体手段の位置情報を検出する位置検出手段と、前記位置検出手段によって検出された前記位置情報に応じた態様で点灯／点滅する開閉状態案内灯手段とを備えたことにある。
位置検出手段は、開閉体装置が、例えばシャッター装置などのようにスラット状のシャッターカーテンなどを巻き取る方式の場合には、その巻取りドラムなどを回転駆動するモータにパルスエンコーダなどを取り付け、このモータの回転位置を検出することによってシャッターカーテンの移動位置などの情報を検出するものである。開閉状態案内灯手段は、位置検出手段からの位置情報に基づいて、すなわち、開閉体手段であるシャッターカーテンが開放動作中なのか、閉鎖動作中なのか、または、その閉鎖側先端部が下限付近に位置するのか、上限付近に位置するのかなどに応じて点灯／点滅の態様（明るさ、点滅速度、発光色など）を変化させる。従って、開閉状態案内灯手段の点灯／点滅状態を目視することによって、開閉体手段の開閉状態を容易に認識することができるようになる。
【０００６】
本発明の開閉体装置の第２の特徴は、開口部に設けられた開閉体手段と、前記開閉体手段の位置情報を検出する位置検出手段と、前記開閉体手段の近傍の所定領域に利用者が位置することを感知する感知手段と、前記位置検出手段によって検出された前記位置情報及び前記感知手段からの感知信号に応じた態様で点灯／点滅する開閉状態案内灯手段とを備えたことにある。
これは、前記第１の特徴の開閉体装置にさらに感知手段からの信号に応じて開閉状態案内灯手段の点灯／点滅状態を制御するようにしたものである。開閉体装置には、光電管センサなどのように開閉体手段の下降時における安全確保のために使用されるエリアセンサを備えたものがある。このようなエリアセンサは、所定領域に利用者が進入したことを感知することができるので、利用者が開閉体装置の近くに進入した場合に、開閉体手段が全閉又は全開のいずれの状態にあるのかを容易に認識できるように、開閉状態案内灯手段の点灯・点滅の態様（明るさ、点滅速度、発光色など）を変化させることによって知らせるようにしたものである。
【０００７】
本発明の開閉体装置の第３の特徴は、前記第１又は第２の特徴に記載された開閉体装置において、前記開閉状態案内灯手段が、前記開閉体手段の閉鎖側先端部付近に設けられたことにある。
これは、開閉状態案内灯手段の取り付け位置に関するものであり、開閉体手段の閉鎖側先端部付近、すなわちシャッターカーテンの座板付近に開閉状態案内灯手段を設けるようにしたものである。
【０００８】
本発明の開閉体装置の第４の特徴は、前記第１又は第２の特徴に記載された開閉体装置において、前記開閉状態案内灯手段が、前記開閉体手段の閉鎖側先端部付近を認識することができるように前記開閉体手段の移動方向に沿った前記開口部周辺に設けられたことにある。
これは、開閉状態案内灯手段の取り付け位置に関するものであり、開閉体手段の移動方向に沿った開口部周辺、すなわちガイドレール付近に設けるようにしたものである。
【発明の効果】
【０００９】
本発明の開閉体装置によれば、開閉体の開閉状態を容易に認識することができるという効果がある。
【発明を実施するための最良の形態】
【００１０】
以下添付図面に従って本発明に係る開閉体装置の好ましい実施の形態について説明する。この実施の形態では開閉体手段として上下に開閉制御されるシャッター装置を例に説明する。図１は、本発明の開閉体装置の外観構成を示す斜視図である。図２は、この開閉体装置を正面から見た一部透視図である。図３は、本発明に係る開閉体装置の制御システムの概略を示す図である。
【００１１】
通常、シャッター装置は、建物などの構造物の開口部に設けられるものであり、基本的にシャッターケース１、シャッターカーテン２、ガイドレール３，４、巻取シャフト５、チェーン６、モータ７、位置検出装置７１、シャッター開閉機制御装置８、リモコン操作スイッチ９、エリアセンサ１０、施錠・開錠手段２０及び開閉状態案内灯８１〜８Ｆから構成される。
【００１２】
ガイドレール３，４は、シャッターカーテン２の両端部に接するように建物の開口部の両端側に設けられ、まぐさ部から床面２１まで掛け渡された断面形状がコの字型の案内溝を有する金属製部材で構成されている。シャッターカーテン２は、このガイドレール３，４の各案内溝に沿って上昇下降し、開口部の開閉動作を行う。
【００１３】
巻取りシャフト５は、シャッターケース１に回動可能に設けられ、シャッターカーテン２を巻き取ったり巻き戻したりする。チェーン６は、モータ７の回転軸に設けられた主動スプロケットと巻取りシャフト５の回転軸に設けられた従動スプロケットとを連結している。従って、モータ７の回転駆動力はチェーン６を介して巻取りシャフト５側に伝達され、モータ７が回転すると、チェーン６を介して巻取りシャフト５が回転し、シャッターカーテン２の開閉動作が制御されるようになっている。
【００１４】
モータ７には、その回転位置すなわちシャッターカーテン２の開閉位置と開閉状態を検出するための位置検出装置７１が設けられている。この位置検出装置７１は、パルス発生型のロータリーエンコーダ等で構成される。モータ７の回転に応じたパルス信号がシャッター開閉機制御装置８に出力されるので、モータ７の回転位置やシャッターカーテン２の閉鎖側先端部の開口部における位置などはこのパルスの発生状況に基づいてシャッター開閉機制御装置８が演算にて求めることになる。
【００１５】
シャッター開閉機制御装置８は、この位置検出装置７１からのパルス信号に基づいてシャッターカーテン２の開閉状態を検出し、開閉状態案内灯８１〜８Ｆの点灯、点滅状態を種々制御して、開閉体の開閉状態を容易に認識することができるようにしている。なお、回転検出装置７１として、モータ７の絶対的な回転位置、すなわち、シャッターカーテン２の開口部における絶対的な位置を検出することのできるアブソリュート型のエンコーダを用いてもよい。
【００１６】
施錠・開錠手段２０は、図１及び図２には図示していないが、シャッター装置の施錠・開錠状態を検出し、その検出信号をシャッター開閉機制御装置８に出力するものである。
【００１７】
シャッター開閉機制御装置８は、マイクロコンピュータ構成になっており、図示していない電源ラインを介して電力が供給されている。シャッター開閉機制御装置８は、リモコン操作スイッチ９上の各操作ボタンの操作状態に対応した制御信号に基づいてモータ７の回転を制御する。リモコン操作スイッチ９は、開放用、停止用、閉鎖用のボタンを有し、それぞれのボタンの操作状態に応じた制御信号をシャッター開閉機制御装置８に出力する。なお、有線の操作スイッチなどを用いてシャッター開閉機制御装置８に制御信号を送信し、開閉操作させるように構成されていてもよい。
【００１８】
なお、図示していないが、シャッターケース１の内側であって、まぐさ部の開口部近傍すなわちシャッターカーテン２が昇降する部分に温度や煙などの感知器などが設けられ、その検出信号がシャッター開閉機制御装置に送信され、自動でシャッターカーテン２の開閉動作を制御する場合もある。
【００１９】
図２では、省略してあるが、エリアセンサ１０は、シャッターの昇降時における安全確保のために使用される障害物感知装置であり、開口部の下側両端に設けられた光電管センサ１０１，１０２から構成される。光電管センサ１０１は、角柱状の投光器支持部材によって構成され、その反対側に同じ形状の受光器支持部材によって構成される光電管センサ１０２が対称位置に設けられている。これらの光電管センサ１０１，１０２は、シャッターカーテン２の座板の長手方向寸法に相当する距離だけ互いに離れて配置されている。
【００２０】
光電管センサ１０１には、例えば赤外線等の光を自ら発光する発光素子からなる投光器が支持されている。一方、光電管センサ１０２には、光を自ら受光感知する受光素子からなる受光器が支持されている。これらの投光器および受光器は、互いに向かい合って配置され、開口部の下側位置で座板に沿って走る物体感知用の光線の光路を形成している。光電管センサ１０１，１０２が光路内で障害物を感知した場合には、シャッター開閉機制御装置８に信号を送り、シャッターの下降を停止し、アラーム音を発音したりして危険防止を図る。
【００２１】
開閉状態案内灯８１〜８Ｆは、シャッターカーテン２の座板部分に複数設けられたＬＥＤ等の発光素子で構成される。開閉状態案内灯８１〜８Ｆは、シャッター開閉機制御装置８によって、点灯（点滅）状態が制御される。この実施の形態では、この開閉状態案内灯８１〜８Ｆの点灯（点滅）状態を利用者が目視することによって、開閉体であるシャッターカーテン２が現在どのような状態にあるかを容易に認識できるようにしている。
【００２２】
次に、本発明の開閉体装置の動作例を図４のフローチャートを用いて説明する。
［ステップＳ４０］
シャッターカーテン２が開放動作中か否かを判定し、開放動作中（ｙｅｓ）の場合にはステップＳ５０に進み、動作中でない（ｎｏ）場合にはステップＳ４１に進む。
［ステップＳ４１］
前のステップＳ４０でシャッターカーテン２が開放動作中でないと判定されたので、ここでは、シャッターカーテン２が閉鎖動作中か否かを判定し、閉鎖動作中（ｙｅｓ）の場合にはステップＳ６０に進み、動作中でない（ｎｏ）場合にはステップＳ４２に進む。
【００２３】
［ステップＳ４２］
前のステップＳ４０，Ｓ４１でシャッターカーテン２が開放動作中でも閉鎖動作中でもないと判定されたので、ここでは、エリアセンサ１０が人などを感知したか否かを判定し、感知した（ｙｅｓ）場合にはステップＳ４３に進み、感知していない（ｎｏ）場合にはステップＳ４４に進む。
［ステップＳ４３］
前のステップＳ４２でエリアセンサ１０が人などを感知したので、開閉状態案内灯８１〜８Ｆを点滅速度が遅く、点滅の明るさが暗くなるように点滅させる。このような点滅状態を目視することによって、シャッターカーテン２の先端部が開口部のどこに位置するのかを容易に確認することができる。
【００２４】
［ステップＳ４４］
前のステップＳ４２でエリアセンサ１０が人などを感知していないので、開閉状態案内灯８１〜８Ｆが点滅している場合などには、その点滅をＴ秒後に消灯させる。すなわち、ステップＳ４２〜Ｓ４４では、エリアセンサ１０に人などが進入した場合には、開閉状態案内灯８１〜８Ｆを点滅させ、進入していない状態では、開閉状態案内灯８１〜８Ｆを点滅させないようにしている。
［ステップＳ５０］
前のステップＳ４０でシャッターカーテン２が開放動作中であると判定されたので、ここでは、シャッターカーテン２の開放動作が完了したか否かを判定し、開放完了（ｙｅｓ）の場合にはステップＳ５４に進み、完了でない（ｎｏ）場合にはステップＳ５１に進む。
【００２５】
［ステップＳ５１］
前のステップＳ５０でシャッターカーテン２の開放が完了してないと判定されたので、ここでは、シャッターカーテン２の開放位置が上限付近に達したか否かを判定し、上限付近に達した（ｙｅｓ）場合にはステップＳ５５に進み、達してない（ｎｏ）場合にはステップＳ５２に進む。
［ステップＳ５２］
前のステップＳ５１でシャッターカーテン２の開放位置が上限付近に達してないと判定されたので、ここでは、シャッターカーテン２の開錠動作中か否かを判定し、開錠動作中（ｙｅｓ）の場合にはステップＳ５６に進み、そうでない（ｎｏ）場合にはステップＳ５３に進む。
【００２６】
［ステップＳ５３］
前のステップＳ５２でシャッターカーテン２の開錠動作中でないと判定されたということは、シャッターカーテン２が今現在開放動作中にあることを意味するので、ここでは、開閉状態案内灯８１〜８Ｆを明るく点灯させ、現在開放動作中であることを目視で容易に確認できるようにする。
［ステップＳ５４］
前のステップＳ５０でシャッターカーテン２の開放が完了した判定されたので、ここでは、開閉状態案内灯８１〜８Ｆを暗く点灯させ、現在開放完了であることを目視で容易に確認できるようにする。
【００２７】
［ステップＳ５５］
前のステップＳ５１でシャッターカーテン２の開放位置が上限付近に達したと判定されたので、ここでは、開閉状態案内灯８１〜８Ｆを点滅速度が早く、点滅の明るさが明るくなるように点滅させ、現在シャッターカーテン２が上限付近にあることを目視で容易に確認できるようにする。
［ステップＳ５６］
前のステップＳ５２でシャッターカーテン２の開錠動作中であると判定されたので、ここでは、開閉状態案内灯８１〜８Ｆを点滅速度が遅く、点滅の明るさが明るくなるように点滅させ、現在シャッターカーテン２が開錠動作中であることを目視で容易に確認できるようにする。
【００２８】
［ステップＳ５７］
開閉状態案内灯８１〜８Ｆが暗く点灯しているか否か、すなわち、シャッターカーテン２の開放が完了したか否かを開閉状態案内灯８１〜８Ｆの制御状態（点灯又は点滅状態）から判断し、暗く点灯させている（ｙｅｓ）場合にはステップＳ６８にジャンプし、それ以外の点灯又は点滅状態（ｎｏ）の場合にはステップＳ５０にリターンして開放動作が完了するまで、ステップＳ５０〜Ｓ５６の処理を繰り返し実行する。
【００２９】
［ステップＳ６０］
前のステップＳ４１でシャッターカーテン２が閉鎖動作中であると判定されたので、ここでは、シャッターカーテン２の閉鎖動作が完了したか否かを判定し、閉鎖完了（ｙｅｓ）の場合にはステップＳ６４に進み、完了でない（ｎｏ）場合にはステップＳ６１に進む。
［ステップＳ６１］
前のステップＳ６０でシャッターカーテン２の閉鎖が完了してないと判定されたので、ここでは、閉鎖完了前の施錠動作中か否かを判定し、施錠動作中（ｙｅｓ）の場合にはステップＳ６５に進み、そうでない（ｎｏ）場合にはステップＳ６２に進む。
【００３０】
［ステップＳ６２］
前のステップＳ６１でシャッターカーテン２の施錠動作中でないと判定されたということは、シャッターカーテン２が今現在閉鎖動作中であることを意味するので、ここでは、シャッターカーテン２が下限付近に達したか否かを判定し、下限付近に達した（ｙｅｓ）場合にはステップＳ６６に進み、達してない（ｎｏ）場合にはステップＳ６３に進む。
［ステップＳ６３］
前のステップＳ６２でシャッターカーテン２が下限付近にないと判定されたので、ここでは、開閉状態案内灯８１〜８Ｆを明るく点灯させ、現在閉鎖動作中であることを目視で容易に確認できるようにする。
【００３１】
［ステップＳ６４］
前のステップＳ６０でシャッターカーテン２の閉鎖が完了したと判定されたので、ここでは、開閉状態案内灯８１〜８Ｆを暗く点灯させ、現在閉鎖完了中であることを目視で容易に確認できるようにする。
［ステップＳ６５］
前のステップＳ６１でシャッターカーテン２の施錠動作中であると判定されたので、ここでは、開閉状態案内灯８１〜８Ｆを点滅速度が遅く、点滅の明るさが明るくなるように点滅させ、現在シャッターカーテン２が施錠動作中であることを目視で容易に確認できるようにする。
【００３２】
［ステップＳ６６］
前のステップＳ６２でシャッターカーテン２の閉鎖位置が下限付近に達したと判定されたので、ここでは、開閉状態案内灯８１〜８Ｆを点滅速度が早く、点滅の明るさが明るくなるように点滅させ、現在シャッターカーテン２が下限付近にあることを目視で容易に確認できるようにする。
［ステップＳ６７］
開閉状態案内灯８１〜８Ｆが暗く点灯しているか否か、すなわち、シャッターカーテン２の閉鎖が完了したか否かを開閉状態案内灯８１〜８Ｆの点灯又は点滅状態から判断し、暗く点灯している（ｙｅｓ）場合にはステップＳ６８にジャンプし、それ以外の点灯又は点滅状態（ｎｏ）の場合にはステップＳ６０にリターンして閉鎖動作が完了するまで、ステップＳ６０〜Ｓ６６の処理を繰り返し実行する。
【００３３】
［ステップＳ６８］
エリアセンサ１０が人などを感知したか否かを判定し、感知した（ｙｅｓ）場合にはステップＳ６９に進み、感知していない（ｎｏ）場合にはリターンする。［ステップＳ４３］
前のステップＳ６８でエリアセンサ１０が人などを感知したので、感知時点からＴ秒後に開閉状態案内灯８１〜８Ｆを点滅速度が遅く、点滅の明るさが暗くなるように点滅させる。このような点滅状態を目視することによって、シャッターカーテン２の先端部が開口部のどこに位置するのかを容易に確認することができる。
【００３４】
上述の実施の形態では、開閉状態案内灯８１〜８Ｆをシャッターカーテン２の先端部に設ける場合について説明したが、図５に示すように、開閉状態案内灯３１〜３Ｅ，４１〜４Ｅを左右のガイドレール３，４に沿って設けるようにしても良い。このときに、シャッターカーテン２の開閉状態に併せて開閉状態案内灯３１〜３Ｅ，４１〜４Ｅの点灯（点滅）状態を種々制御するようにしても良い。図５の場合には、シャッターカーテン２の存在する部分に対応する開閉状態案内灯３５〜３Ｅ，４４〜４Ｅを点灯（点滅）させ、シャッターカーテン２の存在しない開口部分に対応する開閉状態案内灯３１〜３４，４１〜４４を消灯させている。これによって、どの程度シャッターカーテン２が開放しているのかを目視で容易に認識することが可能となる。
【００３５】
また、図５の開閉状態案内灯３５〜３Ｅ，４４〜４Ｅのように、シャッターカーテン２の先端部に近い方から順番に点灯（点滅）の明るさを徐々に変化させることによって、現在シャッターカーテン２が開放動作中なのか開閉動作中なのかを認識できるようにしても良い。図５の場合は、点灯の明るさか下から徐々に上に向かって暗くなっているので開放動作中であることを示す。図６の場合は、点灯の明るさか上から徐々に下に向かって暗くなっているので閉鎖動作中であることを示す。なお、点灯／点滅による相違だけでなく、発光色の変化によっても開閉位置と開閉状態を認識できるようにしても良い。
【００３６】
上述の実施の形態では、開閉体手段であるシャッターカーテンが下降しながら繰り出されて閉鎖するシャッター装置を例に説明したが、これ以外にも開閉部材が横引き方式で繰り出されたり、上昇方式で繰り出されたり、あるいは水平方式や斜め方式で繰り出されたりするものであっても、門扉のような開閉体手段であっても同様に適用することができる。開閉体装置としては、例えば、シャッター装置、ブラインド装置、ロールスクリーン装置、垂れ幕装置、防潮板装置などがある。開閉体装置をシャッター装置とした場合、開閉手段である開閉部材は、シャッターカーテンであり、その構成は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどによるものである。また、開閉体手段である開閉部材の材質は、使用目的に応じたものであれば、どのようなものでもよい。具体的には、金属製、木製、プラスチック製、布製、これらの複合されたものなどで構成することができる。
【図面の簡単な説明】
【００３７】
【図１】本発明の開閉体装置の外観構成を示す斜視図である。
【図２】この開閉体装置を正面から見た一部透視図である。
【図３】本発明に係る開閉体装置の制御システムの概略を示す図である。
【図４】本発明の開閉体装置の動作例を示すフローチャート図である。
【図５】本発明に係る開閉体装置の変形例を示す図である。
【図６】本発明に係る開閉体装置の変形例を示す図である。
【符号の説明】
【００３８】
１…シャッターケース
２…シャッターカーテン
３，４…ガイドレール
５…巻取シャフト
６…チェーン
７…モータ
７１…位置検出装置
８…シャッター開閉機制御装置
９…リモコン操作スイッチ
１０…エリアセンサ
８１〜８Ｆ…開閉状態案内灯
３１〜３Ｅ，４１〜４Ｅ…開閉状態案内灯
【図１】
2006104786.tif 000003
【図２】
2006104786.tif 000004
【図３】
2006104786.tif 000005
【図４】
2006104786.tif 000006
【図５】
2006104786.tif 000007
【図６】
2006104786.tif 000008